(57)【要約】  【課題】  モータで回転されるフィルタの脱着が簡単に行える電気掃除機を提供する。  【解決手段】  塵埃を吸い込む塵埃吸込口から掃除機本体１１の電動送風機２４の吸込開口２４Ａまでの吸込風路の途中に設けた集塵ユニット室２２に着脱自在に装着される集塵ユニット５０と、モータＭによって回転される駆動ギアと、集塵ユニット５０のプリーツフィルタ体１００に設けたギア１０７とを備え、集塵ユニット５０の着脱方向をギア１０７の回転軸線と直交する方向に設定し、集塵ユニット室２２におけるギア１０７の回転軸線に対して、集塵ユニット５０のの装着方向と反対側に駆動ギアを設けた。【選択図】  図２
2007020685.tif 000002
【特許請求の範囲】
【請求項１】
塵埃を吸い込む塵埃吸込口から掃除機本体の電動送風機の吸込開口までの吸込風路の途中に設けた装着部に着脱自在に且つ回転自在に装着されるフィルタと、駆動手段によって回転される第１伝達手段と、前記フィルタに設けられるとともに前記第１伝達手段に接触することによりこの第１伝達手段の回転力を受けて前記フィルタを回転させる第２伝達手段とを備え、前記フィルタを回転させることによってこのフィルタに付着した塵埃を落とすようになっている電気掃除機であって、
前記フィルタの着脱方向をフィルタの回転軸線と直交する方向に設定し、
前記装着位置におけるフィルタの回転軸線に対して、前記フィルタの装着方向と反対側に前記第１伝達手段を設けたことを特徴とする電気掃除機。
【請求項２】
前記装着部に、吸引された塵埃と空気とを分離する塵埃分離部と、この塵埃分離部で分離された塵埃を集塵する集塵部とが設けられ、この塵埃分離部と集塵部のうち少なくともいずれか一方が前記フィルタと一体的に着脱自在に装着されることを特徴とする請求項１に記載の電気掃除機。
【発明の詳細な説明】
【技術分野】
【０００１】
この発明は、例えば掃除機本体内に設けた吸込風路の途中の装着部に着脱自在に且つ回転自在に装着されるフィルタを備えた電気掃除機に関する。
【背景技術】
【０００２】
従来から、集塵容器を掃除機本体に着脱自在に設けた電気掃除機が知られている（特許文献１参照）。
【０００３】
かかる電気掃除機は、集塵容器室を内部に形成した掃除機本体と、集塵容器室に着脱自在に装着される集塵容器と、前記集塵容器室の下流側に設けられた電動送風機と、集塵容器の後部開口に着脱自在に装着された二次フィルタであるプリーツフィルタと、このプリーツフィルタに付着した塵埃を振り落とす除塵手段等とを備えている。なお、プリーツフィルタのプリーツは上下方向に延びている。
【０００４】
この除塵手段は、プリーツフィルタに対向した位置にリングを回転自在に配置し、このリングにプリーツフィルタに当接する突起を設け、コードリールが電源コードを巻き取っていく際にリングを回転させ、このリングが回転することによって突起がプリーツフィルタのプリーツを乗り越えながら移動していき、これによりプリーツフィルタに振動を与えて、プリーツフィルタに付着した塵埃を落としていくものである。
【特許文献１】特開２００４−３５８１３５号公報
【発明の開示】
【発明が解決しようとする課題】
【０００５】
しかしながら、このような電気掃除機にあっては、リングの突起がプリーツフィルタの上部位置を移動しているとき、その突起が所定距離移動する毎にプリーツフィルタのプリーツを乗り越えていき、これによりプリーツフィルタを振動させてプリーツフィルタに付着した塵埃を落としていく。プリーツが上下方向に延びていることにより、その塵埃は下方に落下していくが、プリーツの下部で再度その塵埃が付着してしまうという問題があった。
【０００６】
そこで、突起をプリーツフィルタの下側に固定させ、プリーツフィルタを回転さたものが考えられている。
【０００７】
しかし、プリーツフィルタに振動を与えるだけでは、十分に塵埃を落とすことができず、このため定期的にプリーツフィルタを取り外して清掃する必要があるが、プリーツフィルタをモータで回転させるようにすると、その取り外しが面倒なものになってしまう。
【０００８】
この発明の目的は、モータで回転されるフィルタの脱着が簡単に行える電気掃除機を提供することにある。
【課題を解決するための手段】
【０００９】
上記目的を達成するため、請求項１の発明は、塵埃を吸い込む塵埃吸込口から掃除機本体の電動送風機の吸込開口までの吸込風路の途中に設けた装着部に着脱自在に且つ回転自在に装着されるフィルタと、駆動手段によって回転される第１伝達手段と、前記フィルタに設けられるとともに前記第１伝達手段に接触することによりこの第１伝達手段の回転力を受けて前記フィルタを回転させる第２伝達手段とを備え、前記フィルタを回転させることによってこのフィルタに付着した塵埃を落とすようになっている電気掃除機であって、
前記フィルタの着脱方向をフィルタの回転軸線と直交する方向に設定し、
前記装着位置におけるフィルタの回転軸線に対して、前記フィルタの装着方向と反対側に前記第１伝達手段を設けたことを特徴とする。
【発明の効果】
【００１０】
この発明によれば、フィルタの着脱方向をフィルタの回転軸線と直交する方向に設定し、フィルタの回転軸線に対してフィルタの装着を行う側と反対側に第１伝達手段を設けたものであるから、第１伝達手段が邪魔になることなくフィルタの着脱が簡単に行える。
【発明を実施するための最良の形態】
【００１１】
以下、この発明に係る電気掃除機の実施例を図面に基づいて説明する。
【実施例】
【００１２】
［第１実施例］
図１に示す電気掃除機１０は、掃除機本体１１と、この掃除機本体１１の接続口１１Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられており、この操作部１３Ａには複数の操作スイッチ１３ａが設けられている。
【００１３】
吸込口体１５には、その底面に塵埃を吸引する図示しない吸込開口（塵埃吸込口）を形成した吸込室（図示せず）が形成されており、この吸込室は延長管１４および集塵ホース１２を介して掃除機本体１１内に設けた集塵ユニット５０（図６参照）の吸込接続口５７ａに連通している。
【００１４】
掃除機本体１１は、本体ケース２０と、本体ケース２０内に着脱自在に装着される集塵ユニット５０（図６参照）と、前部が本体ケース２０にヒンジ結合されて後部側が上下方向に開閉可能となっている蓋体２１とを備えている。
【００１５】
本体ケース２０の前側には、図２ないし図５に示すように、集塵ユニット５０が着脱自在に装着される集塵ユニット室（装着部）２２が形成され、この集塵ユニット室２２の上部開口２３（図３参照）が図２に示すように蓋体２１によって密閉されている。また、本体ケース２０の後側には電動送風機２４が設けられており、この電動送風機２４の前側（図２において左側）に前面開口２５Ｂを有する円筒状の接続風路部２５が形成され、この接続風路部２５内には格子部材２５Ｋが配置されており、前面開口２５Ｂにはシール部材２７が装着されている。接続風路部２５の後壁２５Ａには接続開口２５ｂが形成されており、この接続開口２５ｂと電動送風機２４の吸込開口２４Ａとが連通している。
【００１６】
集塵ユニット室２２には、図３ないし図５に示すように、駆動ギア（第１伝達手段）１１０と、この駆動ギア１１０を回転させる駆動モータ（駆動手段）Ｍとが設けられている。
【００１７】
集塵ユニット５０は、掃除機本体１１の接続口１１Ａと電動送風機２４の吸込開口２４Ａまでの吸込風路の途中に着脱自在に装着されており、掃除機本体１１内から取り出せるようになっている。
【００１８】
また、集塵ユニット５０は、図６ないし図８に示すように、塵埃分離部５２と、この塵埃分離部５２に着脱自在に装着された集塵部７０と、塵埃分離部５２と一体となっているフィルタ部８０とから構成されている。
【００１９】
塵埃分離部５２は、円弧状の外周壁５３を有する円筒状の分離室部５４と、この分離室部５４内に分離室部５４の軸線に沿って設けられたほぼ円錐形状の塵埃分離手段５５と、分離室部５４の右側壁５４Ａ（図７において）に設けられた吸引風路部５６と、吸込接続口５７ａ（図６参照）から分離室部５４へ空気を案内する案内風路管５７とを有している。吸込接続口５７ａは、集塵ユニット５０が掃除機本体１１の集塵ユニット室２２に装着された際に、掃除機本体１１の接続口１１Ａに連通されるようになっている。
【００２０】
分離室部５４の外周壁５３の上部には、図７および図８に示すように、空気から分離された塵埃を導入する導入開口５３Ａが形成され、この導入開口５３Ａにはシール部材５３Ｓ（図６参照）が装着されている。また、分離室部５４の右側壁５４Ａ（図７において）には、案内風路管５７が接続されている接続開口５４Ａａ（図８参照）と、吸引風路部５６が接続されている吸引開口５４Ａｂ（図７参照）とが形成されている。
【００２１】
また、分離室部５４の左側壁５４Ｂ（図７において）には開口５４Ｂａが形成され、この開口５４Ｂａは着脱自在に装着された蓋５８により閉塞されている。蓋５８には塵埃分離手段５５が取り付けられており、この蓋５８を取り外すことにより、塵埃分離手段５５が分離室部５４内から取り出せるようになっている。
【００２２】
塵埃分離手段５５は、径の異なる複数のリング枠５５ａ〜５５ｄと、このリング枠５５ａ〜５５ｄを連結した複数の連結枠５５ｅと、これら枠５５ａ〜５５ｅの周囲に貼り付けたネットフィルタＮＦ１とから構成されている。そして、蓋５８が分離室部５４の開口５４Ｂａに取り付けられているときには、塵埃分離手段５５のリング枠５５ａが分離室部５４の吸引開口５４Ａｂに接合され、吸引風路部５６が吸引開口５４ＡｂおよびネットフィルタＮＦ１を介して分離室部５４に連通している。
【００２３】
吸引風路部５６は、後述するフィルタ部８０の収納ケース８１内に連通しているとともに後述する集塵ケース７０Ｋ内に連通している。また、吸引風路部５６には接続開口５６Ａが形成されている。
【００２４】
案内風路管５７は、ほぼ円弧状に形成されており、分離室部５４の接続開口５４Ａａから分離室部５４内へ導入される空気を図８の矢印に示すように反時計回りに回転させるようになっている。
【００２５】
集塵部７０は、図９に示すようにほぼ逆Ｌ字形に形成された集塵ケース７０Ｋから構成されている。この集塵ケース７０Ｋは、上部に左右方向に延びた連通路７１（図７参照）を形成した連通ケース部７２と、この連通ケース部７２の右端部から下方に延びるとともに塵埃を集塵する集塵室７３を形成した集塵ケース部７４とを有している。
【００２６】
連通ケース部７２の下面には開口７２Ａが形成され、この開口７２Ａは図７に示すように塵埃分離ケース５２の導入開口５３Ａに接続されている。また、集塵ケース部７４の左側壁部７４Ａ（図９において）には接続開口７５が形成され、この接続開口７５にはシール部材７５Ｓが装着されている。また、接続開口７５は図７に示すように吸引風路部５６の接続開口５６Ａに接続されている。集塵ケース部７４内には、図７に示すように接続開口７５に対向した位置にフィルタＦ１が設けられている。
【００２７】
また、集塵ケース部７４の右側面は開口され、この開口７６には蓋板７７が開閉自在に設けられている。この蓋板７７の下部には、図９に示すように左方向へ延びたアーム部７７Ａが形成され、このアーム部７７Ａに軸部７７Ｊが設けられており、この軸部７７Ｊが集塵ケース部７４の底部に設けた軸受部７８に回動自在に保持されている。そして、その軸部７７Ｊを中心にして蓋板７７が回動することにより、集塵ケース部７４の開口７６が開閉されるようになっている。７９は取手である。
【００２８】
フィルタ部８０は、後面（図８において左側面）が開口された円筒状の収納ケース８１と、この収納ケース８１内に回転自在に取り付けられたプリーツフィルタ体１００と、このプリーツフィルタ体１００と一体に回転していくブレード体３００とを有している。収納ケース８１の前壁部８４には塵埃分離部５２が一体に形成されている。
【００２９】
収納ケース８１の前壁部８４には、図１０に示すように、接続開口８４Ａが形成され、この接続開口８４Ａが吸引風路部５６（図７参照）に接続されている。そして、その接続開口８４Ａを介して収納ケース８１内と吸引風路部５６とが連通している。
【００３０】
また、前壁部８４には、後方に延びるとともに接続開口８４Ａを挟む位置に一対の突起８８が設けられている。この一対の突起８８は、後述するプリーツフィルタ１０４の山部１０４Ａに当接するとともに、プリーツフィルタ体１００の回転中心の位置より下側に位置している。
【００３１】
収納ケース８１は、図６および図８に示すように、プリーツフィルタ体１００を回転自在に保持する筒状の保持部８５と、プリーツフィルタ１０４から落とされた塵埃を受ける円環状の塵埃受部８６等とを有している。この塵埃受部８６には、図１１に示すように塵埃を排出する排出口８６Ａが前壁部８４に亘って形成されている。この排出口８６は連通路５９を介して塵埃分離部５２の分離室部５４内に連通している。
【００３２】
プリーツフィルタ体１００は、図１２および図１３に示すように、筒状の枠体１０１と、この枠体１０１内の中心位置に設けられた軸部１０１Ａと、この軸部１０１Ａから放射状にプリーツを形成するための複数のプリーツ骨１０２,１０３と、このプリーツ骨１０２,１０３に貼られて形成されたフィルタであるプリーツフィルタ１０４（図１４参照）とを有している。１０４ａは、上流側に対してのプリーツフィルタ１０４の山部である。
【００３３】
ブレード体３００は、図１０に示すように、プリーツフィルタ体１００の軸部１０１Ａに嵌合される軸部３０１と、この軸部３０１から径方向に延びた３つのアーム３０２と、このアーム３０２の先端部に設けられたブレード３０３とを有している。アーム３０２は、二股に分かれたアーム部材３０２Ａ,３０２Ａで構成されている。
【００３４】
そして、ブレード体３００の軸部３０１を枠体１０１の軸部１０１Ａに嵌合させることにより、ブレード体３００はプリーツフィルタ体１００に重ね合わせられて、プリーツフィルタ体１００と一体に回転していくようになっている。
【００３５】
ブレード３０３は、図１５に示すように、収納ケース８１の前壁部８４上を摺接移動していく平板部３０３Ａと、この平板部３０３Ａの先端に形成されるとともに収納ケース８１の塵埃受部８６の上面を摺接移動していく円弧状の摺接部３０３Ｂと、平板部３０３Ａの一側部に形成されるとともに塵埃受部８６に溜まった塵埃を排出口８６Ａへ掃き出していく掃出部３０３Ｃとを有している。
【００３６】
ブレード３０３は、プリーツフィルタ体１００が回転していくことにより、図１６に示すように、収納ケース８１の塵埃受部８６の上面を摺接移動していき、これによりその上面に溜まった塵埃を排出口８６Ａへ掃き出していく。排出口８６Ａへ掃き出された塵埃は連通路５９（図１１参照）を介して塵埃分離部５２の分離室部５４内へ排出されていくようになっている。
【００３７】
プリーツフィルタ体１００が回転して、ブレード３０３が鎖線で示す位置にくると、ブレード３０３の平板部３０３Ａと摺接部３０３Ｂとが排出口８６Ａを閉塞する。すなわち、ブレード３０３が排出口８６Ａを閉塞する。
【００３８】
ブレード３０３が排出口８６Ａを閉塞する位置にくると、マイクロスイッチＳ１（図１７参照）がこれを検知し、モータＭの駆動が停止されるようになっている。マイクロスイッチＳ１は収納ケース８１内に取り付けられている。
【００３９】
枠体１０１は、図１２に示すように、収納ケース８１の筒部８５内に回転自在に保持される筒状の摺動部１０８と、この摺動部１０８から左側（図１２において）に形成された筒状のギア部１０７Ａとを有している。ギア部１０７Ａの外周面にはギア（第２伝達手段）１０７が形成され、このギア部１０７Ａは収納ケース８１の筒部８５から外へ突出し、図６に示すように収納ケース８１からギア１０７が露出する。
【００４０】
ギア１０７は、掃除機本体１１の集塵ユニット室２２の駆動ギア１１０に噛合しており、モータＭの駆動によりプリーツフィルタ体１００が収納ケース８１内で回転していくようになっている。
【００４１】
駆動ギア１１０は、図６に示すようにギア１０７の回転中心位置（プリーツフィルタ１０４の回転軸線）より下側の位置に配置されている。すなわち、ギア１０７の回転中心位置に対して集塵ユニット５０の装着方向と反対側に駆動ギア１１０が設けられている。
【００４２】
また、掃除機本体１１の集塵ユニット室２２に対する集塵ユニット５０の着脱方向は上下方向であり、ギア１０７の回転軸線と直交する方向に設定されている。
【００４３】
そして、集塵ユニット５０を掃除機本体１１の集塵ユニット室２２に装着するとギア１０７が駆動ギア１１０に噛合され、その集塵ユニット室２２から集塵ユニット５０を持ち上げると、ギア１０７は駆動ギア１１０から外れて、集塵ユニット５０は集塵ユニット室２２から簡単に取り外せるようになっている。
【００４４】
また、集塵ユニット５０を掃除機本体１１の集塵ユニット室２２に装着すると、掃除機本体１１の接続風路部２５の前面開口２５Ｂにシール部材２７を介してプリーツフィルタ体１００のギア部１０７Ａの端面が接合され、接続風路部２５内と集塵ユニット５０の収納ケース８１内とが連通される。
【００４５】
図１７はこの電気掃除機の制御系の構成を示したブロック図である。図１７において、２００は操作部１３Ａの操作スイッチ１３ａ（図１参照）の操作やマイクロスイッチＳ１の検知信号に基づいて電動送風機２４やモータＭを制御する制御装置である。
［動  作］
次に、上記のように構成される電気掃除機の動作について説明する。
【００４６】
先ず、図２に示すように、集塵ユニット５０を掃除機本体１１の集塵ユニット室２２に装着し、図１に示すように集塵ホース１２を掃除機本体１１の接続口１１Ａに接続するとともに手元操作管１３に延長管１４を介して吸込口体１５を接続する。
【００４７】
そして、図示しない電源プラグをコンセントに接続する。このとき、マイクロスイッチＳ１がブレード体３００のブレード３０３を検知していないとき、すなわちブレード３０３が塵埃受部８６の排出口８６Ａを塞いでいないとき、モータＭが駆動されてフィルタ部８０のプリーツフィルタ体１００が回転していく。プリーツフィルタ体１００の回転とともにブレード体３００のブレード３０３が塵埃受部８６上を摺接移動していき、このブレード３０３が塵埃受部８６の排出口８６Ａを塞ぐ位置にくると、マイクロスイッチＳ１がブレード３０３を検知し、この検知により制御装置２００がモータＭの駆動を停止させる。
【００４８】
このブレード３０３の摺接移動の際、塵埃受部８６に溜まった塵埃は排出口８６Ａへ掃き出され、この排出口８６Ａから連通路５９を介して塵埃分離部５２の分離室部５４内へ排出される。
【００４９】
モータＭの駆動中、すなわちブレード３０３が排出口８６Ａを塞ぐ位置まで移動している間、手元操作管１３の操作部１３Ａのスイッチ１３ａを操作しても電動送風機２４は駆動されない。これにより、塵埃分離部５２の分離室部５４へ排出された塵埃が排出口８６Ａから吸引されて再度プリーツフィルタ１０４に付着してしまうことが防止される。
【００５０】
集塵ユニット５０のマイクロスイッチＳ１がプリーツフィルタ体１００のブレード３０３を検知しているとき、すなわち、ブレード３０３が塵埃受部８６の排出口８６Ａを塞いでいるとき、手元操作管１３の操作部１３Ａのスイッチ１３ａが操作されると、電動送風機２４が駆動される。
【００５１】
この電動送風機２４の駆動により、電動送風機２４の吸込開口２４Ａから空気が吸い込まれて、接続風路部２５を介して集塵ユニット５０の収納ケース８１内に負圧が作用し、さらに吸引風路部５６を介して集塵ケース７０Ｋ内や塵埃分離部５２の分離室部５４に作用する。そして、その負圧が案内風路管５７を介して集塵ホース１２,延長管１４および吸込口体１５に作用し、吸込口体１５から空気とともに塵埃が吸引されていく。
【００５２】
この吸引された塵埃および空気が延長管１４および集塵ホース１２を介して集塵ユニット５０の吸込接続口５７ａへ吸引されていく。この吸込接続口５７ａへ吸引された塵埃および空気は案内風路管５７を通って塵埃分離部５２の分離室部５４内へ導入され、この分離室部５４内では図８において反時計回りに回転していく。
【００５３】
そして、この回転により塵埃と空気の一部が分離され、分離された空気が図７に示す塵埃分離手段５５のネットフィルタＮＦ１を通り、さらに吸引風路部５６を通ってフィルタ部８０の収納ケース８１内へ吸引されていく。
【００５４】
他方、分離されなかった塵埃および空気はその回転により分離室部５４の導入開口５３Ａから集塵部７０の連通ケース部７２内へ導入される。この導入された塵埃および空気は連通ケース部７２の連通路７１を通って集塵室７３へ吸引されていき、塵埃は集塵室７３に集塵されていく。
【００５５】
集塵室７３へ吸引された空気は、フィルタＦ１および接続開口７５を通って吸引風路部５６に吸引され、さらにフィルタ部８０の収納ケース８１内へ吸引されていく。
【００５６】
収納ケース８１内へ吸引された空気は、プリーツフィルタ体１００のプリーツフィルタ１０４を通って掃除機本体１１の接続風路部２５へ吸引され、さらに電動送風機２４の吸込開口２４Ａへ吸引されていく。
【００５７】
ところで、ブレード体３００のブレード３０３は収納ケース８１の塵埃受部８６の排出口８６Ａを塞いでいるので、この排出口８６Ａから連通路５９を介して塵埃分離部５２の分離室部５４内の塵埃を吸引して、この塵埃を再度プリーツフィルタ１０４に付着させてしまうことが防止される。
【００５８】
電動送風機２４の吸込開口２４Ａへ吸引された空気は電動送風機２４内を通って図２に示す掃除機本体１１の排気口２０Ｈから排気されていく。
【００５９】
掃除が終了したら、操作部１３Ａの操作スイッチ１３ａを操作して電動送風機２４の駆動を停止させる。この電動送風機２４の駆動が停止されると、図１７の制御装置２００がモータＭを駆動させる。モータＭの駆動により駆動ギア１１０が回転してプリーツフィルタ体１００が回転していく。
【００６０】
このプリーツフィルタ体１００の回転により、収納ケース８１の前壁部８４の突起８８がプリーツフィルタ１０４の山部に当たってその回転とともに山部を乗り越えていく。突起８８が山部を乗り越える毎にプリーツフィルタ１０４に振動が与えられていき、プリーツフィルタ１０４に付着した塵埃が振り落とされていく。この塵埃は収納ケース８１の塵埃受部８６に溜まっていく。
【００６１】
突起８８は、プリーツフィルタ体１００の回転中心より下側に設けられているので、プリーツフィルタ体１００の下側部分のプリーツフィルタ１０４に大きな振動が与えられることになる。このため、その下側部分のプリーツフィルタ１０４から塵埃が振り落とされてそのまま塵埃受部８６へ落ちていき、この落下の途中で再度プリーツフィルタ１０４に付着してしまうことがなく、このため効率よく塵埃を落とすことができる。
【００６２】
他方、プリーツフィルタ体１００とともにブレード体３００が回転していき、ブレード体３００のブレード３０３の摺接部３０３Ｂが収納ケース８１の塵埃受部８６の上面を図１６に示すように摺接移動していく。このブレード３０３の摺接部３０３Ｂの摺接移動により、塵埃受部８６に溜まった塵埃が塵埃受部８６の周面上に沿って移動して、塵埃受部８６の排出口８６Ａへ掃き出されていく。排出口８６Ａへ掃き出された塵埃は、連通路５９を介して塵埃分離部５２の分離室部５４内へ排出される。
【００６３】
プリーツフィルタ体１００が例えば１回転して、ブレード３０３が図１６の鎖線で示すように塵埃受部８６の排出口８６Ａを塞ぐ位置にくると、マイクロスイッチＳ１がブレード３００を検知し、制御装置２００がモータＭの駆動を停止させる。これにより、ブレード３０３が塵埃受部８６の排出口８６Ａを塞いだ位置でプリーツフィルタ体１００の回転が停止される。
【００６４】
この実施例では、ブレード３０３が３つ設けられていることによりマイクロスイッチＳ１がブレード３０３を３回検知したとき、モータＭの駆動を停止させる。
【００６５】
ブレード３０３が塵埃受部８６の排出口８６Ａを塞ぐ位置にくる前に、手元操作管１３の操作部１３Ａのスイッチ１３ａが再度操作された場合、制御装置２００は電動送風機２４を駆動させない。これにより、塵埃分離部５２の分離室部５４へ排出された塵埃が排出口８６Ａから吸引されて再度プリーツフィルタ１０４に付着してしまうことが防止される。
【００６６】
また、ブレード体３００のブレード３０３が塵埃受部８６の排出口８６Ａを塞ぐ位置にくる前に、電源プラグをコンセントから引き抜いた場合、ブレード３００が塵埃受部８６の排出口８６Ａを塞ぐ前にモータＭの駆動が停止され、排出口８６Ａはブレード３００により塞がれないが、上述のように、電源プラグをコンセントに接続すると、モータＭを駆動してプリーツフィルタ体１００を回転させ、これにより排出口８６Ａをブレード３０３で塞ぎ、この後電動送風機２４を駆動させるものであるから、塵埃分離部５２の分離室部５４へ排出した塵埃を排出口８６Ａから吸引してしまうという不具合は防止される。
【００６７】
長期間の使用により、プリーツフィルタ１０４に目詰まりが生じた場合には、プリーツフィルタ１０４を清掃する。
【００６８】
この清掃は、先ず掃除機本体１１の蓋体２１を開け、集塵ユニット５０を持ち上げる。この持ち上げにより、駆動ギア１１０はプリーツフィルタ体１００のギア１０７の回転中心位置より下側位置に配置されていることにより、駆動ギア１１０が邪魔になることなく、プリーツフィルタ体１００のギア１０７は駆動ギア１１０から外れる。このため、集塵ユニット５０を掃除機本体１１の集塵ユニット室２２から簡単に取り外すことができる。
【００６９】
そして、集塵ユニット室２２から集塵ユニット５０を取り出したら、集塵ユニット５０のプリーツフィルタ体１００のプリーツフィルタ１０４を清掃する。この際、集塵部７０を取り外してもよい。
【００７０】
プリーツフィルタ１０４の清掃が終了したら、この集塵ユニット５０を掃除機本体１１の集塵ユニット室２２へ上から挿入すれば、駆動ギア１１０はプリーツフィルタ体１００のギア１０７の回転中心位置より下側位置に配置されていることにより、駆動ギア１１０が邪魔になることなく、プリーツフィルタ体１００のギア１０７が駆動ギア１１０に噛合して、集塵ユニット５０が集塵ユニット室２２に装着される。
【００７１】
このように、集塵ユニット５０を集塵ユニット室２２の上から挿入すればその装着が完了するので、その装着は至って簡単に行うことができる。
【００７２】
集塵部７０に溜まった塵埃を捨てる場合には、集塵ユニット５０を取り外す必要がないので、掃除機本体１１の蓋体２１を開けて集塵部７０だけを集塵ユニット５０から取り外せばよい。そして、集塵部７０の蓋板７７を開成して集塵室７３,７３Ａに溜まった塵埃を捨てる。
［第２実施例］
図１８は、第２実施例の集塵ユニット１５０を示したものである。この集塵ユニット１５０は、フィルタ部８０の収納ケース１８１が上ケース部１８１Ａと下ケース部１８１Ｂとに上下に２分割され、上ケース部１８１Ａが下ケース部１８１Ｂから取り外せるようになっており、上ケース部１８１Ａを取り外すことにより、プリーツフィルタ体１００を下ケース部１８１Ｂから取り外せるようにしたものである。
【００７３】
この第２実施例によれば、集塵ユニット１５０を掃除機本体１１から取り外すことなく、集塵ユニット１５０からプリーツフィルタ体１００を取り外すことができるので、そのプリーツフィルタ１０４の取り外しが簡単に行え、その清掃も簡単に行える。
【００７４】
上記実施例は、いずれも塵埃分離部５２がフィルタ部８０の収納ケース８１に一体に形成されているが、集塵部７０の集塵ケース部７４を収納ケース８１に一体に形成し、連通ケース部７２と塵埃分離部５２とを一体にするとともに、連通ケース部を集塵ケース部７４から切離可能にし、この塵埃分離部５２を連通ケース部７２とともに収納ケース８１から取り外せるようにしてもよい。
【００７５】
このようにすることにより、塵埃分離部５２と集塵部７０とがフィルタ部８０から取り外せるようにしたものより、シール部材を設ける数が少なくて済むことになる。
【００７６】
また、塵埃分離部５２の他に集塵部７０を収納ケース８１に一体に形成すれば、全てのシール部材５３Ｓ,７５Ｓが不要となり、しかも気密性を高めることができる。
上記実施例は、キャニスタ型の電気掃除機について説明したが、アップライト式の電気掃除機に適用することもできる。
【図面の簡単な説明】
【００７７】
【図１】この発明に係る電機掃除機の外観を示した斜視図である。
【図２】図１に示す掃除機本体の構成を示した縦断面図である。
【図３】蓋体および集塵ユニットを取り外した掃除機本体を示した斜視図である。
【図４】図３に示す掃除機本体の縦断面斜視図である。
【図５】蓋体および集塵ユニットを取り外した掃除機本体の縦断面図である。
【図６】集塵ユニットの外観を示した斜視図である。
【図７】図６に示す集塵ユニットの横断面図である。
【図８】図６に示す集塵ユニットの縦断面斜視図である。
【図９】集塵部の外観を示した斜視図である。
【図１０】収納ケースの前壁部とグレード体を示した説明図である。
【図１１】収納ケースと塵埃分離部とを示した斜視図である。
【図１２】プリーツフィルタの骨を示した斜視図である。
【図１３】プリーツフィルタ体を示した側面図である。
【図１４】プリーツフィル体のプリーツ骨と、ブレード体が重ねられた状態を示した説明図である。
【図１５】収納ケースとブレード体とを示した斜視図である。
【図１６】塵埃受部とブレードとの位置関係を示した説明図である。
【図１７】電気掃除機の制御関係の構成を示したブロック図である。
【図１８】第２実施例の集塵ユニットを示した斜視図である。
【符号の説明】
【００７８】
１１          掃除機本体
２２          集塵ユニット室
５０          集塵ユニット
１００        プリーツフィルタ体
１０４        プリーツフィルタ（フィルタ）
１０７        ギア（第２伝達手段）
１１０        駆動ギア（第１伝達手段）
Ｍ            モータ
【図１】
2007020685.tif 000003
【図２】
2007020685.tif 000004
【図３】
2007020685.tif 000005
【図４】
2007020685.tif 000006
【図５】
2007020685.tif 000007
【図６】
2007020685.tif 000008
【図７】
2007020685.tif 000009
【図８】
2007020685.tif 000010
【図９】
2007020685.tif 000011
【図１０】
2007020685.tif 000012
【図１１】
2007020685.tif 000013
【図１２】
2007020685.tif 000014
【図１３】
2007020685.tif 000015
【図１４】
2007020685.tif 000016
【図１５】
2007020685.tif 000017
【図１６】
2007020685.tif 000018
【図１７】
2007020685.tif 000019
【図１８】
2007020685.tif 000020